(57)【要約】  本発明にかかる通信装置は、周波数軸上に複数の通信チャネルを有する無線通信システムを構成する通信装置であって、受信信号の復号結果に基づいてＡＣＫまたはＮＡＣＫを生成するＡＣＫ／ＮＡＣＫ生成部（２３）と、所定の測定処理により得られたチャネル品質を通信チャネル毎に蓄積し、ＡＣＫ／ＮＡＣＫ生成部（２３）がＡＣＫまたはＮＡＣＫを出力するタイミングでＣＱＩを出力する品質情報整理部（２２）と、品質情報整理部（２２）から受け取ったＣＱＩと、ＡＣＫ／ＮＡＣＫ生成部（２３）から受け取ったＡＣＫまたはＮＡＣＫと、を同一の通信チャネルで送信する送信手段（信号多重化部（２４）および変調／送信部（２５））と、を備えることとした。
2007088629.tif 000002
【特許請求の範囲】
【請求項１】
周波数軸上に複数の通信チャネルを有する無線通信システムを構成する通信装置であって、
受信信号の復号結果に基づいてＡＣＫまたはＮＡＣＫを生成するＡＣＫ／ＮＡＣＫ生成手段と、
所定の測定処理により得られたチャネル品質を通信チャネル毎に蓄積し、前記ＡＣＫ／ＮＡＣＫ生成手段がＡＣＫまたはＮＡＣＫを出力するタイミングでＣＱＩを出力する品質情報整理手段と、
前記品質情報整理手段から受け取ったＣＱＩと、前記ＡＣＫ／ＮＡＣＫ生成手段から受け取ったＡＣＫまたはＮＡＣＫと、を同一の通信チャネルで送信する送信手段と、
を備えることを特徴とする通信装置。
【請求項２】
前記品質情報整理手段は、前記ＣＱＩとして、前記ＡＣＫ／ＮＡＣＫ生成手段がＡＣＫまたはＮＡＣＫを出力する時点で、チャネル品質の最も良好な上位Ｎ（Ｎは任意の自然数）個の通信チャネルを報告することを特徴とする請求項１に記載の通信装置。
【請求項３】
前記品質情報整理手段は、
前記ＣＱＩとして、前記ＡＣＫ／ＮＡＣＫ生成手段がＡＣＫまたはＮＡＣＫを出力するタイミング毎に、Ｎ（Ｎは任意の自然数）個ずつ異なる通信チャネルのチャネル品質を報告し、
前記Ｎ個ずつの報告を繰り返し行うことによって全通信チャネルについてＣＱＩ報告を行うことを特徴とする請求項１に記載の通信装置。
【請求項４】
周波数軸上に複数の通信チャネルを有する無線通信システムを構成する通信装置であって、
受信信号の復号結果に基づいてＡＣＫまたはＮＡＣＫを生成するＡＣＫ／ＮＡＣＫ生成手段と、
所定の測定処理により得られたチャネル品質を通信チャネル毎に蓄積し、前記ＡＣＫ／ＮＡＣＫ生成手段がＮＡＣＫを出力するタイミングでＣＱＩを出力する品質情報整理手段と、
前記品質情報整理手段から受け取ったＣＱＩと、前記ＡＣＫ／ＮＡＣＫ生成手段から受け取ったＮＡＣＫと、を同一の通信チャネルで送信する送信手段と、
を備えることを特徴とする通信装置。
【請求項５】
前記品質情報整理手段は、前記ＣＱＩとして、前記ＡＣＫ／ＮＡＣＫ生成手段がＮＡＣＫを出力する時点で、チャネル品質の最も良好な上位Ｎ（Ｎは任意の自然数）個のチャネルを報告することを特徴とする請求項４に記載の通信装置。
【請求項６】
前記品質情報整理手段は、前記ＣＱＩとして、前記ＡＣＫ／ＮＡＣＫ生成手段がＡＣＫまたはＮＡＣＫを出力する時点で、チャネル品質の最も良好な上位Ｎ（Ｎは任意の自然数）個の通信チャネルを報告することに加え、Ｎ＋１個目以降の通信チャネルの平均品質も報告することを特徴とする請求項１に記載の通信装置。
【請求項７】
周波数軸上に複数の通信チャネルを有する無線通信システムであって、
受信信号の復号結果に基づいてＡＣＫまたはＮＡＣＫを生成するＡＣＫ／ＮＡＣＫ生成手段と、所定の測定処理により得られたチャネル品質を通信チャネル毎に蓄積し、前記ＡＣＫ／ＮＡＣＫ生成手段がＡＣＫまたはＮＡＣＫを出力するタイミングでＣＱＩを出力する品質情報整理手段と、前記品質情報整理手段から受け取ったＣＱＩと、前記ＡＣＫ／ＮＡＣＫ生成手段から受け取ったＡＣＫまたはＮＡＣＫと、を同一の通信チャネルで送信する送信手段と、を含む少なくとも一つの端末と、
前記端末から送られてくる無線信号の復号結果として得られるＣＱＩに基づいて通信チャネルのスケジューリングを行う基地局と、
を備えることを特徴とする無線通信システム。
【請求項８】
前記品質情報整理手段は、前記ＣＱＩとして、前記ＡＣＫ／ＮＡＣＫ生成手段がＡＣＫまたはＮＡＣＫを出力する時点で、チャネル品質の最も良好な上位Ｎ（Ｎは任意の自然数）個の通信チャネルを報告することを特徴とする請求項７に記載の無線通信システム。
【請求項９】
前記品質情報整理手段は、
前記ＣＱＩとして、前記ＡＣＫ／ＮＡＣＫ生成手段がＡＣＫまたはＮＡＣＫを出力するタイミング毎に、Ｎ（Ｎは任意の自然数）個ずつ異なる通信チャネルのチャネル品質を報告し、
前記Ｎ個ずつの報告を繰り返し行うことによって全通信チャネルについてＣＱＩ報告を行うことを特徴とする請求項７に記載の無線通信システム。
【請求項１０】
周波数軸上に複数の通信チャネルを有する無線通信システムであって、
受信信号の復号結果に基づいてＡＣＫまたはＮＡＣＫを生成するＡＣＫ／ＮＡＣＫ生成手段と、所定の測定処理により得られたチャネル品質を通信チャネル毎に蓄積し、前記ＡＣＫ／ＮＡＣＫ生成手段がＮＡＣＫを出力するタイミングでＣＱＩを出力する品質情報整理手段と、前記品質情報整理手段から受け取ったＣＱＩと、前記ＡＣＫ／ＮＡＣＫ生成手段から受け取ったＮＡＣＫと、を同一の通信チャネルで送信する送信手段と、を含む少なくとも一つの端末と、
前記端末から送られてくる無線信号の復号結果として得られるＣＱＩに基づいて通信チャネルのスケジューリングを行う基地局と、
を備えることを特徴とする無線通信システム。
【請求項１１】
前記品質情報整理手段は、前記ＣＱＩとして、前記ＡＣＫ／ＮＡＣＫ生成手段がＡＣＫまたはＮＡＣＫを出力する時点で、チャネル品質の最も良好な上位Ｎ（Ｎは任意の自然数）個の通信チャネルを報告することに加え、Ｎ＋１個目以降の通信チャネルの平均品質も報告することを特徴とする請求項７に記載の無線通信システム。
【請求項１２】
前記品質情報整理手段は、前記ＣＱＩとして、前記ＡＣＫ／ＮＡＣＫ生成手段がＮＡＣＫを出力する時点で、チャネル品質の最も良好な上位Ｎ（Ｎは任意の自然数）個のチャネルを報告することを特徴とする請求項１０に記載の無線通信システム。
【請求項１３】
周波数軸上に複数の通信チャネルを有する無線通信システムにおいて、端末が基地局に対してＣＱＩ報告を行う場合の無線通信方法であって、
所定の測定処理により得られたチャネル品質を通信チャネル毎に蓄積するチャネル品質蓄積ステップと、
蓄積されたチャネル品質に基づいて生成されたＣＱＩと、受信信号の復号結果に基づいて生成されたＡＣＫまたはＮＡＣＫと、を同一の通信チャネルで送信する送信ステップと、
を含むことを特徴とする無線通信方法。
【請求項１４】
周波数軸上に複数の通信チャネルを有する無線通信システムにおいて、端末が基地局に対してＣＱＩ報告を行う場合の無線通信方法であって、
所定の測定処理により得られたチャネル品質を通信チャネル毎に蓄積するチャネル品質蓄積ステップと、
蓄積されたチャネル品質に基づいて生成されたＣＱＩと、受信信号の復号結果に基づいて生成されたＮＡＣＫと、を同一の通信チャネルで送信する送信ステップと、
を含むことを特徴とする無線通信方法。
【発明の詳細な説明】
【技術分野】
【０００１】
本発明は、周波数軸上に複数の通信チャネルを有する無線通信システムにおいて、割り当てられた通信チャネルを用いて通信を行う通信装置および無線通信方法に関するものであり、特に、ＣＱＩ（Channel  Quality  Indicator）報告を行う通信装置に関するものである。
【背景技術】
【０００２】
たとえば、下記非特許文献１には、チャネル品質情報を示すＣＱＩと、再送に関するＡＣＫまたはＮＡＣＫと、が設定される物理レイヤチャネルＨＳ−ＤＰＣＣＨ（High  Speed-Dedicated  Physical  Control  CHannel）のフォーマットが開示されている。この技術には、ＷＣＤＭＡ（Wideband  Code  Division  Multiple  Access）と呼ばれる無線方式が使われている。【０００３】
上記ＷＣＤＭＡにおいては、周波数軸上で定義される通信チャネルが一つであるため、下り回線（基地局→端末）の一つのチャネル品質を端末が測定し、その測定結果をＣＱＩフィールドに設定して基地局へ報告している。また、この報告は周期的であるが、その周期については、基地局が接続している無線アクセスネットワークの制御局から指定される。【０００４】
また、基地局から端末へデータが送信された場合、端末は、その復号結果が受信成功であればＡＣＫを、受信失敗であればＮＡＣＫを、それぞれ返送する。また、このＡＣＫまたはＮＡＣＫの返送と、上記ＣＱＩ報告と、はそれぞれ独立した処理で実行される。従って、ＨＳ−ＤＰＣＣＨでは、ＡＣＫまたはＮＡＣＫのみが返送される場合、ＣＱＩのみが返送される場合、その両方が送信される場合、両方が送信されない場合、が考えられる。【０００５】
一方で、現在、３ＧＰＰにおいては、新たな無線方式を採用した無線ネットワークの検討がＬＴＥ（Long  Term  Evolution）の名の下で行われている。ここで検討されている新たな無線方式では、周波数軸上に複数の通信チャネルを定義し、品質状態に応じて、通信に使用する周波数軸上のチャネルを選択することとしている（基地局スケジューリング）。具体的には、システム周波数帯域が周波数群＃１〜＃ｎに分けられ、時間軸方向のサブフレーム単位にスケジューリングを行うことによって、サブフレーム周期毎に各周波数群に割り当てる端末を選択する。すなわち、端末＃１に周波数群の割り当てを行う場合は、最初に、チャネル品質状態の最も良好な、たとえば、周波数群＃１を割り当て、そして、次の周期では、最新のチャネル品質に応じて、そのときに状態の最も良好な、たとえば、周波数群＃２を割り当てる。【０００６】
このように、上記従来の技術においては、周波数軸上の通信チャネルが複数存在する場合、各端末に対して、これらの中からできるだけ良好な通信チャネルを選択して割り当てる。【０００７】
【非特許文献１】3GPP  TS25.211  V6.6.0  5.2.1.2節  Figure  2A
【発明の開示】
【発明が解決しようとする課題】
【０００８】
しかしながら、上記従来の技術によれば、割り当て可能な通信チャネルが複数存在するため、スケジューリングを行う通信装置（基地局に相当）は、それら複数チャネルについて、それぞれチャネル品質を認識する必要がある。また、チャネル品質の状態は時々刻々と変化するため、所望の通信を行う各通信装置（端末に相当）は、同一チャネルであっても、周期的にチャネル品質を報告する必要がある。また、端末は、基地局からデータが送られてきた場合に、その復号結果に応じてＡＣＫまたはＮＡＣＫを返送しなければならない。したがって、上記従来の手法で、ＡＣＫまたはＮＡＣＫの返送とＣＱＩ報告とを独立した処理で別々に実行した場合には、これら二つの要素で多くの通信チャネルを消費してしまう可能性がある、という問題があった。【０００９】
本発明は、上記に鑑みてなされたものであって、ＡＣＫまたはＮＡＣＫの返送とＣＱＩ報告による通信チャネルの消費を低減する通信装置、無線通信システムおよび無線通信方法を提供することを目的とする。
【課題を解決するための手段】
【００１０】
上述した課題を解決し、目的を達成するために、本発明にかかる通信装置は、周波数軸上に複数の通信チャネルを有する無線通信システムを構成する通信装置であって、受信信号の復号結果に基づいてＡＣＫまたはＮＡＣＫを生成するＡＣＫ／ＮＡＣＫ生成手段と、所定の測定処理により得られたチャネル品質を通信チャネル毎に蓄積し、前記ＡＣＫ／ＮＡＣＫ生成手段がＡＣＫまたはＮＡＣＫを出力するタイミングでＣＱＩを出力する品質情報整理手段と、前記品質情報整理手段から受け取ったＣＱＩと、前記ＡＣＫ／ＮＡＣＫ生成手段から受け取ったＡＣＫまたはＮＡＣＫと、を同一の通信チャネルで送信する送信手段と、を備えることを特徴とする。
【発明の効果】
【００１１】
この発明によれば、通信チャネルの消費を低減することができ、伴って、無線リソースの有効利用を実現することができる、という効果を奏する。
【図面の簡単な説明】
【００１２】
【図１】図１は、本発明にかかる無線通信システムの構成例を示す図である。
【図２】図２は、図１の無線通信システムにおいて、各端末が、ＡＣＫまたはＮＡＣＫとＣＱＩとを同一チャネルで返送している様子を示す図である。
【図３】図３は、実施の形態１のＣＱＩ報告の様子を示す図である。
【図４】図４は、実施の形態２のＣＱＩ報告の様子を示す図である。
【図５】図５は、実施の形態３のＣＱＩ報告の様子を示す図である。
【図６】図６は、実施の形態４のＣＱＩ報告の様子を示す図である。
【符号の説明】
【００１３】
１  基地局
２  端末
１１  受信／復調部
１２  受信信号解析部
１３  スケジューリング部
１４  変調／送信部
１５  データバッファ部
２１  受信／復調部
２２  品質情報整理部
２３  ＡＣＫ／ＮＡＣＫ生成部
２４  信号多重化部
２５  変調／送信部
【発明を実施するための最良の形態】
【００１４】
以下に、本発明にかかる通信装置、無線通信システムおよび無線通信方法の実施の形態を図面に基づいて詳細に説明する。なお、この実施の形態によりこの発明が限定されるものではない。【００１５】
実施の形態１．
図１は、本発明にかかる無線通信システムの構成例を示す図であり、たとえば、基地局１と基地局１配下の各端末（図１では一例として端末２のみ記載）とから構成されている。この通信システムにおいて、基地局１は、受信／復調部１１，受信信号解析部１２，スケジューリング部１３，変調／送信部１４，データバッファ部１５を備え、端末２は、受信／復調部２１，品質情報整理部２２，ＡＣＫ／ＮＡＣＫ生成部２３，信号多重化部２４，変調／送信部２５を備えている。【００１６】
また、図２は、一例として、上記通信システムにおいて、５個の端末が、上記ＡＣＫまたはＮＡＣＫとＣＱＩとを同一チャネル（同一周波数群）で返送している様子を示している。ここでは、システム周波数帯域が周波数群＃１〜＃ｎに分けられ、基地局１が、時間軸方向のサブフレーム単位にスケジューリングを行っている。なお、図２では、各端末に割り当てられたチャネル（周波数群）を、ハッチングの違いにより表現している。【００１７】
図２においては、データ伝送に割り当てるチャネルとＡＣＫまたはＮＡＣＫの返送（ＡＣＫ／ＮＡＣＫ返送）に割り当てるチャネルとを予め対応付けるチャネル割り当て方法や、データ伝送に割り当てるチャネルとは無関係にＡＣＫ／ＮＡＣＫ返送用のチャネル（ＡＣＫ／ＮＡＣＫ返送チャネル）を改めて割り当てるチャネル割り当て方法などを採用する。また、いずれの方法を用いた場合であっても、各端末は、ＡＣＫ／ＮＡＣＫ返送チャネルを用いてＣＱＩ報告を行うこととする。これにより、従来技術と比較して、データ伝送に使用可能な空きチャネルを増やすことができる。なお、３ＧＰＰでは、ＡＣＫまたはＮＡＣＫの返送に使用するチャネルの割り当て方法は規定されていない。【００１８】
つづいて、本実施の形態の通信システムの動作概要を、図１を用いて詳細に説明する。端末２では、受信／復調部２１が、チャネル品質測定のために、基地局１から送られてくるパイロット信号を受信し、ここで得られるチャネル品質情報（受信信号レベル等）を品質情報整理部２２へ出力する。品質情報整理部２２では、定期的に受け取るチャネル品質情報を蓄積する。このとき、一定時間において取得した情報の平均を計算することとしてもよい。【００１９】
また、受信復調部２１は、自端末向けのデータを受信することもあるので、この場合には、復号結果をＡＣＫ／ＮＡＣＫ生成部２３に対して出力し、ＡＣＫ／ＮＡＣＫ生成部２３では、受け取った復号結果に基づいてＡＣＫ（受信成功の場合）またはＮＡＣＫ（受信失敗の場合）を生成する。そして、品質情報整理部２２では、ＡＣＫ／ＮＡＣＫ生成部２３がＡＣＫまたはＮＡＣＫを出力するタイミングでＣＱＩを出力する。【００２０】
信号多重化部２４では、品質情報整理部２２から受け取ったＣＱＩと、ＡＣＫ／ＮＡＣＫ生成部２３から受け取ったＡＣＫまたはＮＡＣＫと、を多重化し、その結果を変調／送信部２５へ出力する。そして、変調／送信部２５が、受け取った多重化信号（ＣＱＩと、ＡＣＫまたはＮＡＣＫと、を含む）を無線信号として基地局１に向けて送信する。【００２１】
基地局１においては、受信／復調部１１が、受信信号を復調し、その復調結果を受信信号解析部１２へ出力する。受信信号解析部１２では、復調信号をＣＱＩ，ＡＣＫまたはＮＡＣＫ，その他の信号、に分離および識別し、ＣＱＩとＡＣＫまたはＮＡＣＫに関する情報（ＡＣＫ／ＮＡＣＫ情報）とをスケジューリング部１３へ出力する。【００２２】
スケジューリング部１３では、得られたＣＱＩに基づいて、送るべきデータを割り当てるチャネル（周波数群）を選択し、さらに、適切な変調方式や誤り訂正冗長度を決定する。また、得られたＡＣＫ／ＮＡＣＫ情報に基づいて、新規データを送信するのか、再送データを送信するのか、を判断する。そして、送信データとともに、選択したチャネル，変調方式，誤り訂正冗長度の情報等を変調／送信部１４に対して出力し、変調／送信部１４では、所定の誤り訂正処理および変調処理を行った後のデータを無線信号として端末へ送信する。なお、上記データが送信されたチャネルおよびその他の用途で使用したチャネルには、適宜パイロット信号が挿入されている。また、データバッファ部１５は、上位レイヤから到着した各端末向けのデータをバッファリングする。【００２３】
このように、本実施の形態においては、ＡＣＫまたはＮＡＣＫの返送に割り当てられたチャネルをＣＱＩ報告にも使用することで、空チャネルを増やすことができ、伴って、無線リソースの有効利用を実現することができる。【００２４】
また、ＡＣＫまたはＮＡＣＫが返送されるということは、再度その端末に対してデータ伝送が行われる可能性が存在するため、ＡＣＫ／ＮＡＣＫ返送チャネルを用いてＣＱＩ報告を行っておくことは有効な手段である。ただし、一定期間にわたってデータ伝送が行われなかった後にデータ伝送が再開されることもあるので、そのようなデータ送信が行われている端末は、事前にＣＱＩを報告しておく必要がある。したがって、一定時間にわたってＡＣＫまたはＮＡＣＫを返送しなかった端末、すなわち、ＣＱＩを報告する機会がなかった端末については、ＡＣＫ／ＮＡＣＫ返送とは関係なくＣＱＩ報告を行う。このＣＱＩ報告には、ランダムアクセス用に割り当てられた全端末に共通なチャネルを用いることとしてもよいし、端末から基地局向けのデータ伝送に割り当てられたチャネルを一時的に使用することとしてもよい。【００２５】
つづいて、ＡＣＫまたはＮＡＣＫとともにＣＱＩ報告を行う際の報告内容について説明する。図３は、実施の形態１のＣＱＩ報告の様子を示す図である。図３では、ＣＱＩは、ＡＣＫまたはＮＡＣＫとともに時間ｔ１，ｔ２，ｔ３で報告されている。また、それぞれの報告時間では、チャネル品質の良好な上位Ｎ（Ｎは任意の自然数：図３ではＮ＝３）個の周波数群を報告する。具体的には、時間ｔ１では周波数群ｆ３，ｆ２，ｆ５の周波数群ＩＤとともにその品質ｘ３，ｘ２，ｘ５を報告する。同様に、時間ｔ２では周波数群（ｆ５，ｆ３，ｆ６）と品質（ｘ５，ｘ３，ｘ６）を、時間ｔ３では周波数群（ｆ６，ｆ５，ｆ２）と品質（ｘ６，ｘ５，ｘ２）を、それぞれ報告する。なお、チャネル品質の順番を整理する処理は、品質情報整理部２２にて行う。【００２６】
このように、本実施の形態においては、ＣＱＩ報告を行う場合、常に、チャネル品質が上位のＮ個の周波数群だけを報告することとした。これにより、１回のＣＱＩ報告量を減らすことができる。なお、ＣＱＩ報告を受けてデータ伝送用のチャネル選択を行うスケジューラ（スケジューリング部１３に相当）では、常に最大のデータ量を伝送可能なチャネル品質の良好なチャネルを選択することになるため、本実施の形態のＣＱＩ報告の方法は、スケジューリング方法と親和性がよいと言える。【００２７】
実施の形態２．
つづいて、実施の形態２の動作について説明する。なお、実施の形態２の無線通信システムの構成、および端末がＡＣＫまたはＮＡＣＫとＣＱＩとを同一チャネルで返送する様子、については、前述した図１および図２と同様である。ここでは、実施の形態１と異なる処理について説明する。【００２８】
図４は、実施の形態２のＣＱＩ報告の様子を示す図である。本実施の形態では、１回のＣＱＩ報告で報告対象周波数群の中のＮ個の周波数群について報告を行う。さらに、本実施の形態では、Ｎ個ずつ異なる周波数群のＣＱＩ報告を繰り返し行い、最終的に複数回の報告によって報告対象全ての周波数群についてＣＱＩ報告を行う。図４は、たとえば、Ｎ＝３の場合を示し、時間ｔ１で周波数群ｆ１，ｆ２，ｆ３の周波数群ＩＤとともにその品質ｘ１，ｘ２，ｘ３を報告する。同様に、時間ｔ２では周波数群（ｆ４，ｆ５，ｆ６）と品質（ｘ４，ｘ５，ｘ６）を、時間ｔ３では周波数群（ｆ７，ｆ８，ｆ９）と品質（ｘ７，ｘ８，ｘ９）を、それぞれ報告する。ただし、上記のように報告する周波数群の順番と報告数が決まっている場合には、すべての周波数群ＩＤを通知する必要はなく、毎回の報告では先頭の周波数群ＩＤのみを通知するだけでもよい。たとえば、時間ｔ１ではｆ１と（ｘ１，ｘ２，ｘ３）を、時間ｔ２ではｆ４と（ｘ４，ｘ５，ｘ６）を、時間ｔ３ではｆ７と（ｘ７，ｘ８，ｘ９）を、報告する。なお、報告するチャネル品質を時間毎に変更する処理は、品質情報整理部２２にて行う。【００２９】
このように、本実施の形態においては、すべての報告対象周波数群についてのＣＱＩ報告を、複数回に分けて行うこととした。これにより、１回のＣＱＩ報告量を減らすことができる。この発明は、全周波数群のチャネル品質をスケジューラ（スケジューリング部１３に相当）に報告するには時間がかかるものの、端末の移動速度が遅く、チャネル品質の変動がゆっくりとしている環境下においては、特に有効である。【００３０】
実施の形態３．
つづいて、実施の形態３の動作について説明する。なお、実施の形態３の無線通信システムの構成、および端末がＮＡＣＫとＣＱＩとを同一チャネルで返送する様子、については、前述した図１および図２と同様である。ここでは、実施の形態１と異なる処理について説明する。【００３１】
図５は、実施の形態３のＣＱＩ報告の様子を示す図である。本実施の形態では、１回のＣＱＩ報告で、報告対象周波数群の中の品質上位Ｎ個の周波数群について報告を行う。さらに、本実施の形態では、ＡＣＫを返送する際にはＣＱＩ報告を行わず、ＮＡＣＫを返送するときにのみＣＱＩ報告を行う。図５は、たとえば、Ｎ＝３の場合を示し、時間ｔ１ではＮＡＣＫを返送するため、同時に品質上位である周波数群ｆ３，ｆ２，ｆ５の周波数群ＩＤとその品質ｘ３，ｘ２，ｘ５を報告する。また、時間ｔ２ではＡＣＫを返送するため、ＣＱＩ報告を行わない。また、時間ｔ３では再びＮＡＣＫを返送するので、この時点の品質上位である周波数群（ｆ６，ｆ１，ｆ８）と品質（ｘ６，ｘ１，ｘ８）を報告する。なお、チャネル品質の順番を整理する処理およびＡＣＫまたはＮＡＣＫを判断する処理は、品質情報整理部２２にて行う。たとえば、品質情報整理部２２は、ＡＣＫ／ＮＡＣＫ生成部２３からＮＡＣＫ送信のトリガを検出し（上記ＡＣＫまたはＮＡＣＫを判断する処理に相当）、検出されたときにだけＣＱＩを出力する。【００３２】
このように、本実施の形態においては、ＮＡＣＫを返送するときにのみ、同一チャネルでＣＱＩ報告を行うこととした。これにより、前述した実施の形態１よりもＣＱＩ報告量を減らすことができ、さらに、データ伝送に使用しているチャネルの選択が適切でないこと、または、選択したチャネルを使用する際の変調方式や誤り訂正の冗長度が適切でないこと、をスケジューラ（スケジューリング部１３に相当）に通知することができる。また、ＡＣＫを返送するときにはＣＱＩ報告を行わないので、そのフィールドを他の目的に使用することができる。たとえば、空いたフィールドを更なるＡＣＫの符号化に使用することでＡＣＫの誤り率を低減することができる。【００３３】
実施の形態４．
つづいて、実施の形態４の動作について説明する。なお、実施の形態４の無線通信システムの構成、および端末がＡＣＫまたはＮＡＣＫとＣＱＩとを同一チャネルで返送する様子、については、前述した図１および図２と同様である。ここでは、実施の形態１と異なる処理について説明する。【００３４】
図６は、実施の形態４のＣＱＩ報告の様子を示す図である。本実施の形態では、１回のＣＱＩで、報告対象周波数群の中の品質上位Ｎ個の周波数群について報告を行うのに加え、それ以外の周波数群についての品質平均値の報告を行う。図６は、たとえば、Ｎ＝３の場合を示し、時間ｔ１で周波数群ｆ３，ｆ２，ｆ５の周波数群ＩＤとともにその品質ｘ３，ｘ２，ｘ５を報告する。さらに周波数群ｆ１，ｆ４，ｆ６〜ｆ９の品質平均値ｘａ１を報告する。同様に、時間ｔ２では周波数群（ｆ５，ｆ３，ｆ６）と品質（ｘ５，ｘ３，ｘ６）に加えて、周波数群ｆ１，ｆ２，ｆ４，ｆ７〜ｆ９の品質平均値ｘａ２を、時間ｔ３では周波数群（ｆ６，ｆ５，ｆ２）と品質（ｘ６，ｘ５，ｘ２）に加えて、周波数群ｆ１，ｆ３，ｆ４，ｆ７〜ｆ９の品質平均値ｘａ３を、報告する。なお、報告する品質の平均値を計算する処理は、品質情報整理部２２に行う。【００３５】
このように、本実施の形態のおいては、ＣＱＩ報告を行う場合、チャネル品質が上位のＮ個の周波数群に加え、Ｎ＋１番目以降の周波数群についてはそれらの品質平均値を報告することとした。これにより、スケジューラがＮ＋１個以上の周波数群を使用したい場合に、Ｎ＋１個目以降の周波数群に関する新しい品質情報がない状態に比べて、適切な変調方式や誤り訂正冗長度の決定が容易になり、データの受信確率向上が期待できる。なお、上記では品質平均値の対象として個別に報告した周波数群は除かれているが、品質平均値の対象に含めてもよい。【００３６】
なお、上記実施の形態１〜４においては、ＡＣＫ／ＮＡＣＫ返送チャネルと同一のチャネルを用いてＣＱＩ報告を行うことを前提に説明したが、常に品質上位Ｎ個の周波数群についてＣＱＩ報告を行う方法や、すべての報告対象周波数群についてのＣＱＩ報告を複数回に分けて行う方法は、報告するチャネルには影響を受けず、ＣＱＩ報告用に独立したチャネルが割り当てられた場合にも適用できる。
【産業上の利用可能性】
【００３７】
以上のように、本発明にかかる通信装置は、周波数軸上に複数の通信チャネルを有する無線通信システムに有用であり、特に、ＣＱＩ報告を行う通信装置に適している。
【図１】
2007088629.tif 000003
【図２】
2007088629.tif 000004
【図３】
2007088629.tif 000005
【図４】
2007088629.tif 000006
【図５】
2007088629.tif 000007
【図６】
2007088629.tif 000008
【国際調査報告】
2007088629.tif 000009
2007088629.tif 000010
2007088629.tif 000011